(57)【特許請求の範囲】
【請求項１】
画像の属性に関する属性情報が付加された画像データに対して該属性に応じた画像処理を施す画像処理方法であって、
前記画像データに付加された属性情報を読み取り、
読み取られた該属性情報に応じて、前記画像の属性に応じた画像処理の調整および実行を行わせるための機能を有する複数の画像処理情報を記憶した記憶手段から画像処理情報を選択して、該選択された画像処理情報を前記表示手段に表示し、
表示された該画像処理情報上において設定された前記画像データに施す画像処理条件に基づいて前記画像データに画像処理を施すことを特徴とする画像処理方法。
【請求項２】
画像の属性に関する属性情報が付加された画像データに対して該属性に応じた画像処理を選択する画像処理選択方法であって、
前記画像データに付加された属性情報を読み取り、
読み取られた該属性情報に応じて、前記画像の属性に応じた画像処理の調整および実行を行わせるための機能を有する複数の画像処理情報を記憶した記憶手段から画像処理情報を選択して、該選択された画像処理情報を前記表示手段に表示することを特徴とする画像処理選択方法。
【請求項３】
画像の属性に関する属性情報が付加された画像データに対して該属性に応じた画像処理を施す画像処理装置であって、
前記画像の属性に応じた画像処理の調整および実行を行わせるための機能を有する複数の画像処理情報を記憶する記憶手段と、
前記画像データに付加された属性情報を読み取る読取手段と、
読み取られた該属性情報に応じて前記記憶手段に記憶された画像処理情報を選択して、該選択された画像処理情報を前記表示手段に表示する選択表示手段と、
表示された該画像処理情報上において、前記画像データに施す画像処理条件を設定する画像処理条件設定手段と、
該設定手段により設定された画像処理条件に基づいて前記画像データに画像処理を施す画像処理手段とからなることを特徴とする画像処理装置。
【請求項４】
画像の属性に関する属性情報が付加された画像データに対して該属性に応じた画像処理を選択する画像処理選択装置であって、
前記画像の属性に応じた画像処理の調整および実行を行わせるための機能を有する複数の画像処理情報を記憶する記憶手段と、
前記画像データに付加された属性情報を読み取る読取手段と、
読み取られた該属性情報に応じて前記記憶手段に記憶された画像処理情報を選択して、選択された該画像処理情報を表示手段に表示する選択表示手段とからなることを特徴とする画像処理選択装置。
【発明の詳細な説明】
【０００１】
【産業上の利用分野】
本発明は、画像データに付加された画像の属性に応じてこの画像データに画像処理を施す画像処理方法および装置ならびに画像処理選択方法および装置に関するものである。
【０００２】
【従来の技術】
複数の画像データをオプティカルディスク等の記憶媒体を有するファイリングシステムに記憶しておき、必要なときにこのファイリングシステムにアクセスして所望とする画像データを可視像として再生することが行われている。
【０００３】
このようなシステムに記憶される画像としては、例えばＣＴ画像、ＭＲＩ画像のように人体等の複数の断層画像や、蓄積性蛍光体シートに記憶された放射線画像を光電的に読み取ることにより得られるＣＲ画像や、Ｘ線テレビにより撮影されたＤＳＡ画像のような、種々の属性のものが挙げられる。
【０００４】
そして観察者は、ファイリングシステムから自己の表示端末にこのような画像データを読み出して可視像として画像を表示し、この表示された画像の属性に応じて必要な画像処理を施し、画像処理が施された画像を読影して診断を行うようにしていた。
【０００５】
【発明が解決しようとする課題】
しかしながら、上述した画像処理は画像の属性に応じて異なるものである。例えば、上述したＣＲ画像の場合は、画像の階調を変化させたり特定の周波数を強調したりする画像処理を主に行い、ＣＴ画像の場合は画像を拡大する画像処理を主に行うものである。このように画像の属性により必要な画像処理が異なるため、画像を観察する者は画像の属性に応じて、画像を表示するごとに画像処理を選択する必要があるため、画像処理を行うことが極めて面倒なものとなっていた。
【０００６】
本発明は上記事情に鑑み、画像処理を容易に選択して手軽に画像処理を行うことができる画像処理方法および装置を提供することを目的とするものである。
【０００７】
さらに、本発明は画像処理を容易に選択することができる画像処理選択方法および装置を提供することを目的とするものである。
【０００８】
【課題を解決するための手段】
本発明による画像処理方法および装置は、画像の属性に関する属性情報が付加された画像データに対して該属性に応じた画像処理を施す画像処理方法および装置であって、
記憶手段に前記画像の属性に応じた複数の画像処理に関する画像処理情報を記憶せしめ、
読取手段により前記画像データに付加された属性情報を読み取り、
読み取られた該属性情報に応じて前記記憶手段に記憶された画像処理情報を選択表示手段により選択して、選択された該画像処理情報を前記表示手段に表示し、
画像処理条件設定手段により該表示された画像処理情報上において、前記画像データに施す画像処理条件を設定し、
画像処理手段により、該設定手段により設定された画像処理条件に基づいて前記画像データに画像処理を施すようにしたことを特徴とするものである。
【０００９】
さらに、本発明による画像処理選択方法および装置は、画像の属性に関する属性情報が付加された画像データに対して該属性に応じた画像処理を選択する画像処理選択方法および装置であって、
記憶手段に前記画像の属性に応じた複数の画像処理に関する画像処理情報を記憶せしめ、
読取手段により前記画像データに付加された属性情報を読み取り、
読み取られた該属性情報に応じて前記記憶手段に記憶された画像処理情報を選択表示手段により選択して、選択された該画像処理情報を表示手段に表示するようにしたことを特徴とするものである。
【００１０】
ここで画像の属性とは、画像の撮影の様式をいうものであり、例えばＣＲ画像、ＣＴ画像、ＭＲＩ画像、ＤＳＡ画像等の撮影の様式をいうものである。また、画像処理情報とは、ある特定の画像処理を行うことができる機能を有する情報のことをいい、例えば階調処理、周波数強調処理、拡大縮小等の画像処理を行わしめるための機能を有する情報のことをいういう。さらに、この画像処理情報を表示手段に表示するとは、例えばウインドウの状態で画像処理の種々の機能をアイコンとして表示し、ウインドウ上でマウスによりこの機能をクリックしたりドラッグしたりすることにより、画像処理の程度を変更することができるようにするものである。
【００１１】
【作用および発明の効果】
本発明による画像処理方法および装置にならびに画像処理選択方法および装置は、記憶手段に画像処理に関する画像処理情報を画像の属性に応じて複数記憶せしめ画像データに付加された画像の属性を読み取り、この属性に応じた画像処理を選択して画像表示手段に表示するようにしたため、画像処理を行う際に表示される画像に応じて複数の画像処理情報を選択する必要がなくなる。そしてこれにより画像処理を行う際の煩わしさがなくなり、画像処理の設定を容易に行うことができることとなる。また、表示手段上で画像処理条件を調整したり実行したりすることができるため、画像処理の機能を調整するための操作を容易に行うことができる。
【００１２】
【実施例】
以下図面を参照して本発明の実施例について説明する。
【００１３】
図１は本発明による画像処理装置の実施例を表す図である。図１に示すように本発明の実施例による画像処理装置１は、複数の画像データを記憶したファイリングシステムの磁気ディスク２と、後述する入力手段10からの指示により磁気ディスク２に記憶された画像データのうち所望とする複数の画像データを読み出して記憶する記憶手段３、記憶手段３に記憶されて後述するＣＲＴ７に可視像として表示される画像データに付加された属性を読み取るための属性読取手段４、属性に応じた種々の画像処理に関する情報を記憶した画像処理情報記憶手段５、画像処理情報記憶手段５に記憶された画像処理情報を属性読取手段４において読み取られた画像の属性に基づいて選択し、選択された画像処理の結果を後述するＣＲＴに表示する選択表示手段６および画像処理情報の操作の結果により決定された画像処理条件に基づいて画像データＳに対して画像処理を施す画像処理手段７からなるＣＰＵ８と、画像データを可視像として表示するための表示手段としてのＣＲＴ９と、本実施例による画像処理装置１を機能させるための種々の情報を入力するためのキーボード、マウス等の入力手段10とからなるものである。
【００１４】
なお、磁気ディスク２に記憶されている複数の画像データＳは、図２に示すようにその記憶されている領域に、画像データＳを得た際の撮影様式である画像の属性を記憶するための領域ＳA を有している。
【００１５】
以下本実施例の作用について説明する。
【００１６】
まず、オペレータは観察読影を行うべき画像データを含む画像データに付加されたＩＤデータに基づいてこのＩＤデータを磁気ディスク２から検索し、この検索されたＩＤデータをＣＲＴ９に表示する。そしてＣＲＴ９に表示されたＩＤデータの中から、本発明による画像処理装置１に読み出して表示すべき画像データに対応するＩＤデータを選択する。本実施例においては集団検診を行うことにより同じ撮影日時に得られた複数の患者のＩＤデータを選択するものとする。ＩＤデータが選択されるとＣＰＵ８は磁気ディスク２からこのＩＤデータに対応する画像データＳを読み出して記憶手段３に記憶せしめる。
【００１７】
そして画像を観察するオペレータは記憶手段３に記憶された画像データＳを順次読み出す旨を入力手段10から入力する。そしてこれにより、記憶手段３から画像データＳが順次読み出され、まず属性読取手段４に入力される。属性読取手段４においては図２に示す画像データＳの領域ＳA から画像の属性に関する情報Ｉを読み取る。読み取られた情報Ｉは選択表示手段６に入力される。
【００１８】
選択表示手段６は入力された情報Ｉに基づいて読み出された画像データＳの属性に応じた画像処理情報を画像処理情報記憶手段５から選択する。そして選択表示手段６は選択された画像処理情報をＣＲＴ９にウインドウの状態で図３、図４および図５に示すように表示する。なお本実施例においては選択された画像処理情報は図３〜図５に示すようにＣＲ画像に対して階調処理および周波数強調処理を施す場合の画像処理を調整するための情報１２と、画像を拡大縮小するための情報１３と、画像を反転あるいは回転させるための情報１４とからなるものである。
【００１９】
ここで、図３に示すようにＣＲＴ９に表示された画像処理情報12は、元の画像が記録されたフイルムのどの部分（例えば左画像、右画像あるいは全画像）に処理を施すかを選択するための画像選択アイコン12Ａ〜12Ｃと、階調処理および周波数強調処理の程度を変更するための予め定められた処理条件を選択するための条件選択アイコン12Ｄ〜12Ｈとを有するものである。
【００２０】
また、図４に示すようにＣＲＴ９に表示された画像処理情報13は画像を拡大縮小するための拡大縮小アイコン13Ａを有するものである。
【００２１】
さらに、図５に示すようにＣＲＴ９に表示されたアイコンは、画像を反転させるための反転アイコン14Ａ，14Ｂと、画像を回転させるための回転アイコン14Ｃ，14Ｄとを有するものである。
【００２２】
このようにＣＲＴ９に画像処理情報12，13，14が表示されると、オペレータは可視像として表示される画像データＳが所望とする画像処理の程度となるように、表示された画像処理情報12，13，14が有するアイコンを入力手段10のマウスにより操作する。すなわち、所望とするアイコンをクリックして画像処理の程度を変更することにより画像データＳに施すべき画像処理条件を設定する。このように画像処理条件が設定されると、画像処理条件を設定した旨を入力手段10から入力し、画像処理条件の設定を終了する。
【００２３】
次いで画像処理手段７は設定された画像処理条件に応じて画像データＳに対して画像処理を行う。そして画像処理が施された画像データＳはＣＲＴ９に可視像として表示される。
【００２４】
このようにしてＣＲＴ９に可視像として表示された画像データＳは所望とする画像処理が施された観察読影に適したものとなっている。
【００２５】
このように本発明による画像処理装置１は、画像データに付加された画像の属性に関する情報を読み取り、この情報に応じた画像処理を自動的に選択してＣＲＴ９に表示するようにしたため、画像に応じて画像処理情報を選択する煩わしさがなくなり、画像処理条件の設定を容易に行うことができる。また、選択された画像処理情報をＣＲＴに表示するようにしたため、画像処理条件を自分の目で見ながら設定することができ、これにより画像処理情報条件の操作を容易なものとすることができる。
【００２６】
なお、上述した実施例においては階調処理および周波数処理の程度を変更するために予め定められた条件選択アイコン12Ｄ〜12Ｈにより処理条件を選択して階調／周波数処理を行うようにしているが、これに限定されるものではなく、例えば、図６に示すような画像処理情報をＣＲＴ９に表示し、マニュアル操作により階調／周波数処理の程度を変更するようにしてもよいものである。すなわち、図６に示すようにＣＲＴ９に表示された画像処理情報は、処理すべき周波数を選択するための周波数選択アイコン16Ａと、処理の強調度を変更するための強調度変更アイコン16Ｂと、階調処理の程度を変更するための階調変更アイコン16Ｃと、周波数処理の程度を変更するための周波数処理変更アイコン16Ｄとを有するものであり、これらのアイコンのうち所望とするアイコンをマウスによりクリック、ドラッグすることにより階調／周波数処理の程度を変更するものである。
【００２７】
また、上述した実施例においてはＣＲ画像のための画像処理情報12，13，14を選択して図３，図４および図５に示すようにＣＲ画像用の画像処理情報12，13，14をＣＲＴ９に表示するようにしているが、読み出された画像データＳがＣＴ画像、ＭＲＩ画像であった場合は、選択されてＣＲＴ９に表示される画像処理情報は図７に示すものとなる。ここで、図７に示す画像処理情報16は、ＣＲＴ９に表示されたアイコンは、画像の全体を表示せしめるための全体表示アイコン16Ａ、画像全体の中から所望とする複数枚の画像を拡大して表示せしめるための通常表示アイコン16Ｂ、通常表示よりもさらに画像を拡大して表示せしめるための拡大表示アイコン16Ｃおよび拡大表示アイコン16Ｃにより画像を拡大表示する際の拡大率を設定するための拡大率表示アイコン16Ｄを有するものである。さらに、付加的なアイコンとして前の属性（モダリティ）を表示するための前モダリティ画像表示アイコン16Ｅと、次の属性（モダリティ）を表示するための次モダリティ画像表示アイコン16Ｆと、現在表示される画像の前の画像を表示するための前画像表示アイコン16Ｇと、現在表示される画像の次ぎの画像を表示するための次画像表示アイコン16Ｈと、ＣＲＴ９の機能をオン／オフするためのモニタ機能オン／オフアイコン16Ｉと、画像を一覧表示するための画像一覧表示アイコン16Ｊと、画像をスクロールするための機能をオン／オフするためのスクロール機能オン／オフアイコン16Ｋと有するものである。
【００２８】
そしてオペレータは表示された画像処理情報にしたがってＭＲＩ画像の画像処理に特有の機能である、画像の拡大縮小表示を行うものである。
【図面の簡単な説明】
【図１】本発明による画像処理装置の実施例を表す図
【図２】画像データの領域を表す図
【図３】ＣＲＴに表示された階調／周波数処理を行う画像処理情報を表す図
【図４】ＣＲＴに表示された他の階調／周波数処理を行う画像処理情報を表す図
【図５】ＣＲＴに表示された拡大／縮小処理を行う画像処理情報を表す図
【図６】ＣＲＴに表示された回転／反転処理を行う画像処理情報を表す図
【図７】ＣＲＴに表示された拡大／縮小を行う画像処理情報を表す図
【符号の説明】
１    画像処理装置
２    磁気ディスク
３    記憶手段
４    属性読取手段
５    画像情報機能記憶手段
６    選択表示手段
７    画像処理手段
８    ＣＰＵ
９    ＣＲＴ
10    入力手段
Ｓ    画像信号
ＳA     画像の属性の領域
【図１】
0003707823.tif 000002
【図２】
0003707823.tif 000003
【図３】
0003707823.tif 000004
【図４】
0003707823.tif 000005
【図５】
0003707823.tif 000006
【図６】
0003707823.tif 000007
【図７】
0003707823.tif 000008